(57)【要約】【課題】給油所の屋外に設置されて給油装置等と連動するデータ入手力装置において、装置内への雨水等の浸入を確実に防止し、装置の故障を防止する。【解決手段】カード差込／抜取部２１ａ、貨幣投入部２２、貨幣返却部２３及び印刷物排出部から選択される少なくとも一つと、閉じている状態で、前記各部の少なくとも一つの外部への露出を防止する扉３１と、扉の開放を防止する錘３２（開放防止手段）とを備えるデータ入出力装置２等。扉３１で各部の外部への露出を防止し、錘３２で装置内への雨水等の浸入を確実に防止し、装置の故障を防止する。錘３２に代えて、扉４１を閉方向へ付勢するコイルばね４２、扉５１が閉じる方向へ回動するように回動軸２１ｂを付勢するロータリーソレノイド５２、扉６１に固着される鉄片６１ａを吸着可能な電磁石６２、扉７１を閉方向へ付勢する板状の弾性部材７２等を用いることもできる。【選択図】図２
2012037949.tif 000002
【特許請求の範囲】
【請求項１】
カード差込／抜取部、貨幣投入部及び印刷物排出部から選択される少なくとも一つと、
閉じている状態で、前記各部の少なくとも一つの外部への露出を防止する扉と、
該扉の開放を防止する開放防止手段とを備えることを特徴とするデータ入出力装置。
【請求項２】
前記貨幣投入部と関連する貨幣返却部を備え、
前記扉は、閉じている状態で、前記カード差込／抜取部、前記貨幣投入部、前記印刷物排出部及び前記貨幣返却部から選択される少なくとも一つの外部への露出を防止するとともに、
前記開放防止手段は、該扉の開放を防止することを特徴とする請求項１に記載のデータ入出力装置。
【請求項３】
前記扉は、前記各部の少なくとも一つの上方に回動可能に固定され、
前記開放防止手段は、前記扉に鉛直方向下向きの力を付与する錘であることを特徴とする請求項１又は２に記載のデータ入出力装置。
【請求項４】
前記開放防止手段は、前記各部の少なくとも一つと、前記扉との間に介装され、該扉を閉方向へ付勢するコイルばねであることを特徴とする請求項１又は２に記載のデータ入出力装置。
【請求項５】
前記開放防止手段は、前記扉を回動させる回動軸に装着され、前記扉が閉じる方向へ回動するように該回動軸を付勢するロータリーソレノイドであることを特徴とする請求項１又は２に記載のデータ入出力装置。
【請求項６】
前記開放防止手段は、前記扉に固着される鉄片と、前記各部の少なくとも一つに配置され、前記鉄片を吸着可能な電磁石であることを特徴とする請求項１又は２に記載のデータ入出力装置。
【請求項７】
前記開放防止手段は、前記各部の少なくとも一つと、前記扉との間に介装され、該扉を閉方向へ付勢する板状の弾性部材であることを特徴とする請求項１又は２に記載のデータ入出力装置。
【発明の詳細な説明】
【技術分野】
【０００１】
本発明は、データ入出力装置に関し、特に、給油所の屋外に設置されて給油装置と連動し、カード又は／及び現金の精算機能等を備えたデータ入出力装置に関する。
【背景技術】
【０００２】
自動車へ燃料油を供給する給油所では、事務所内に屋内データ入出力装置が配置され、給油作業に付帯する給油設定、料金精算等を行う屋外データ入出力装置が、給油作業の効率化を図るために屋外に設けられている。給油料金の精算は、屋外データ入出力装置に設けられた貨幣識別装置やカードリーダーにて行われる（例えば、特許文献１参照）。
【先行技術文献】
【特許文献】
【０００３】
【特許文献１】特開２００５−３５０１１０号公報
【発明の概要】
【発明が解決しようとする課題】
【０００４】
上記特許文献１に記載のデータ入出力装置等には、貨幣識別装置やカードリーダーの挿入口、すなわち貨幣投入部やカード差込／抜取部の前面に、各部の外部への露出を防止するための扉が設けられているが、この扉が風により開き、その際に挿入口より雨や雪、埃等が内部に侵入し、装置の故障に繋がる虞があった。
【０００５】
そこで、本発明は、上記従来の技術における問題点に鑑みてなされたものであって、装置内への雨水等の浸入を確実に防止し、装置の故障を防止することが可能なデータ入手力装置を提供することを目的とする。
【課題を解決するための手段】
【０００６】
上記目的を達成するため、本発明は、データ入出力装置であって、カード差込／抜取部、貨幣投入部及び印刷物排出部から選択される少なくとも一つと、閉じている状態で、前記各部の少なくとも一つの外部への露出を防止する扉と、該扉の開放を防止する開放防止手段とを備えることを特徴とする。
【０００７】
そして、本発明によれば、外部への露出を防止する扉と、該扉の開放を防止する開放防止手段をカード差込／抜取部等に設けたため、装置内への雨水等の浸入を確実に防止し、装置の故障を防止することが可能となる。
【０００８】
上記データ入出力装置において、前記貨幣投入部と関連する貨幣返却部を設け、前記扉は、閉じている状態で、前記カード差込／抜取部、前記貨幣投入部、前記印刷物排出部及び前記貨幣返却部から選択される少なくとも一つの外部への露出を防止するとともに、前記開放防止手段は、該扉の開放を防止することができる。これにより、上記発明と同様に、装置内への雨水等の浸入を確実に防止し、装置の故障を防止することができる。
【０００９】
上記データ入出力装置において、前記扉は、前記各部の少なくとも一つの上方に回動可能に固定され、前記開放防止手段は、前記扉に鉛直方向下向きの力を付与する錘とすることができる。
【００１０】
また、上記データ入出力装置において、前記開放防止手段を、前記各部の少なくとも一つと、前記扉との間に介装され、該扉を閉方向へ付勢するコイルばねとすることができる。
【００１１】
さらに、上記データ入出力装置において、前記開放防止手段を、前記扉を回動させる回動軸に装着され、前記扉が閉じる方向へ回動するように該回動軸を付勢するロータリーソレノイドとすることができる。
【００１２】
また、上記データ入出力装置において、前記開放防止手段は、前記扉に固着される鉄片と、前記各部の少なくとも一つに配置され、前記鉄片を吸着可能な電磁石とすることができる。
【００１３】
さらに、前記開放防止手段は、前記各部の少なくとも一つと、前記扉との間に介装され、該扉を閉方向へ付勢する板状の弾性部材とすることができる。
【発明の効果】
【００１４】
以上のように、本発明によれば、装置内への雨水等の浸入を確実に防止し、装置の故障を防止することが可能なデータ入出力装置を提供することができる。
【図面の簡単な説明】
【００１５】
【図１】本発明にかかるデータ入出力装置を備えた給油装置の全体構成を示す正面図である。
【図２】本発明にかかるデータ入出力装置の第１の実施形態における扉及び開放防止手段を示す図であって、（ａ）は正面図、（ｂ）は（ａ）のＡ−Ａ線断面図、（ｃ）は扉の開状態を示すＡ−Ａ線断面図に相当する図である。
【図３】本発明にかかるデータ入出力装置の第２の実施形態における扉及び開放防止手段を示す断面図であって、（ａ）は扉の閉状態、（ｂ）は開状態を示す。
【図４】本発明にかかるデータ入出力装置の第３の実施形態における扉及び開放防止手段を示す断面図であって、（ａ）は扉の閉状態、（ｂ）は開状態を示す。
【図５】図４に示した扉及び開放防止手段の動作を説明するためのフローチャートである。
【図６】図４に示した扉及び開放防止手段の動作を説明するためのフローチャートである。
【図７】本発明にかかるデータ入出力装置の第４の実施形態における扉及び開放防止手段を示す断面図であって、（ａ）は扉の閉状態、（ｂ）は開状態を示す。
【図８】本発明にかかるデータ入出力装置の第５の実施形態における扉及び開放防止手段を示す図であって、（ａ）は正面図、（ｂ）は（ａ）のＢ−Ｂ線断面図、（ｃ）は扉の開状態を示すＢ−Ｂ線断面図に相当する図である。
【発明を実施するための形態】
【００１６】
次に、本発明を実施するための形態について図面を参照しながら詳細に説明する。
【００１７】
図１は、本発明にかかるデータ入出力装置を備えた給油装置の全体構成を示し、この給油装置１は、給油機構（不図示）に連結される給油ホース１１と、給油ホース１１に接続される給油ノズル１２と、給油ノズル１２を保持する給油ノズル保持部（以下、「保持部」という）１３と、保持部１３に設けられて給油ノズル１２の使用／不使用を判別するノズルスイッチ（以下、「ノズルＳＷ」という）１４とで構成され、顧客は、保持部１３から給油ノズル１２を取り外し、給油ノズル１２のトリガーを引くことにより給油を行う。尚、給油中、すなわち給油ノズル１２が保持部１３から取り外されている場合、ノズルＳＷ１４がＯＮとなる。
【００１８】
データ入出力装置２は、大別して、油種、給油量、給油料金、精算方法等のデータを入力設定するためのタッチパネル２０と、給油料金を計数する計数部（不図示）と、顧客のクレジットカード、デビットカード、プリペイドカード、現金会員カード等のカードを読み取るカードリーダー部２１と、貨幣識別機能を有する貨幣投入部２２と、計数部と貨幣投入部２２により計算された釣りを返却する貨幣返却部２３と、レシート等を印字するプリンタ部２４とを備える。さらに、カードリーダ部２１、貨幣投入部２２、貨幣返却部２３及びプリンタ部２４には、後述するように、各部の外部への露出を防止する扉及び開放防止手段が配置される。この扉及び開放防止手段を設けたのが本発明の特徴である。
【００１９】
図２は、本発明にかかるデータ入出力装置２の第１の実施形態を示し、上記扉及び開放防止手段をカードリーダー部２１に設けた場合を示している。
【００２０】
カードリーダー部２１は、カード差込／抜取部２１ａと、凹部２１ｅ内に回動可能に装着された回動軸２１ｂと、回動軸２１ｂに保持部３３を介して固定された扉３１と、扉３１に一体化された錘（開放防止手段）３２とを備える。尚、カードリーダー部２１には、カードが挿入されたことなどを示すアクセスランプ２１ｄが３個配置される。
【００２１】
扉３１は、透明のアクリル板等により矩形板状に構成され、上方縁部が保持部３３を介して回動軸２１ｂに一体化され、扉３１全体が回動軸２１ｂとともに回動する。
【００２２】
錘３２は、アルミニウム等の金属でコの字状に扉３１の周辺を覆うように扉３１に固着される。この錘３２に加わる重力によって、扉３１に鉛直方向下向きの力を付与し、扉３１の開放を防止している。また、錘３２の下端部３２ａは、扉３１の下端部よりもさらに下方に位置するように大きく構成し、カード差込／抜取部２１ａへの雨水等の侵入をより困難にしている。
【００２３】
上記構成により、カードリーダー部２１にカードを挿抜しない場合には、図２（ａ）、（ｂ）に示すように、カード差込／抜取部２１ａの開口部２１ｃは、扉３１によって塞がれるとともに、錘３２に加わる重力によって強風等の場合でも扉３１が吹き上げられることがなく、カード差込／抜取部２１ａ内への雨水等の浸入を確実に防止し、カードリーダー部２１の故障、ひいてはデータ入出力装置２の故障を防止することができる。
【００２４】
カードリーダー部２１にカードを挿抜する場合には、図２（ｃ）に示すように、錘３２の下端部３２ａを指で持ち上げ、カード差込／抜取部２１ａに容易にカードを挿抜することができる。
【００２５】
上記構成を有する扉３１及び錘３２は、給油装置１のデータ入出力装置２を製造する際に同時に設けるだけでなく、既設のデータ入出力装置の扉に錘３２を装着することで扉の開放防止を行うことができる。通常、上述のように、カードリーダー部２１にアクセスランプ２１ｄが配置され、アクセスランプ２１ｄを外部から視認できるように構成する必要があるが、錘３２は、透明な扉３１の三辺を覆うように装着されているため、アクセスランプ２１ｄの視認性に影響を与えることはない。
【００２６】
次に、本発明にかかるデータ入出力装置２の第２の実施形態について、図３を参照しながら説明する。本実施の形態においても、扉及び開放防止手段をカードリーダー部２１に設けた場合について説明する。
【００２７】
カードリーダー部２１は、カード差込／抜取部２１ａと、凹部２１ｅ内に回動可能に装着された回動軸２１ｂと、アクセスランプ２１ｄと、回動軸２１ｂに固定された扉４１と、回動軸２１ｂに巻回され、一端が凹部２１ｅに、他端が扉４１に固定されたコイルばね（開放防止手段）４２とを備える。
【００２８】
扉４１は、図２に示した扉３１と同様、透明のアクリル板等により矩形板状に構成され、上方縁部が保持部４３を介して回動軸２１ｂに一体化され、扉４１全体が回動軸２１ｂとともに回動する。
【００２９】
コイルばね４２は、上述のように、カードリーダー部２１の凹部２１ｅと扉４１との間に介装され、扉４１全体をカード差込／抜取部２１ａの開口部２１ｃ側に付勢する。この付勢力によって、図３（ａ）に示すように、扉４１が閉じた状態で、扉４１を開口部２１ｃに押圧することで扉４１の開放を防止している。
【００３０】
上記構成により、カードリーダー部２１にカードを挿抜しない場合には、図３（ａ）に示すように、カード差込／抜取部２１ａの開口部２１ｃは、扉４１によって塞がれるとともに、コイルばね４２の付勢力によって強風等の場合でも扉４１が吹き上げられることがなく、カード差込／抜取部２１ａ内への雨水等の浸入を確実に防止し、カードリーダー部２１の故障、ひいてはデータ入出力装置２の故障を防止することができる。
【００３１】
カードリーダー部２１にカードを挿抜する場合には、図３（ｂ）に示すように、扉４１の下端部を指で持ち上げ、カード差込／抜取部２１ａに容易にカードを挿抜することができる。
【００３２】
次に、本発明にかかるデータ入出力装置２の第３の実施形態について、図４を参照しながら説明する。本実施の形態においても、扉及び開放防止手段をカードリーダー部２１に設けた場合について説明する。
【００３３】
カードリーダー部２１は、カード差込／抜取部２１ａと、アクセスランプ２１ｄと、扉５１を回動可能に保持するロータリーソレノイド（開放防止手段）５２とを備える。
【００３４】
扉５１は、図２に示した扉３１等と同様、透明のアクリル板等により矩形板状に構成され、上方の縁部が直接ロータリーソレノイド５２に保持され、扉５１全体がロータリーソレノイド５２によって回動する。
【００３５】
ロータリーソレノイド５２は、カードリーダー部２１の凹部２１ｅに固定され、その回動軸が扉５１に連結され、ソレノイド（不図示）への励磁の有無によって扉５１を図４（ａ）と図４（ｂ）に示す位置の間で揺動させる。これによって、図４（ａ）に示すように、扉５１が閉じた状態で、扉５１を開口部２１ｃに押圧することで扉５１の開放を防止している。
【００３６】
上記構成により、カードリーダー部２１にカードを挿抜しない場合には、図４（ａ）に示すように、カード差込／抜取部２１ａの開口部２１ｃは、扉５１によって塞がれるとともに、ロータリーソレノイド５２の付勢力によって強風等の場合でも扉５１が吹き上げられることがなく、カード差込／抜取部２１ａ内への雨水等の浸入を確実に防止し、カードリーダー部２１の故障、ひいてはデータ入出力装置２の故障を防止することができる。
【００３７】
次に、給油操作に伴うカードリーダー部２１の動作について、図５を中心に、図１及び図４を参照しながら説明する。
【００３８】
給油所の給油装置１で自動車に給油を行う顧客が、タッチパネル２０を操作して精算手段としてカードを選択すると（ステップＳ１）、カードリーダー部２１のロータリーソレノイド５２がＯＮとなり（ステップＳ２）、扉５１を図４（ｂ）に示すように開く（ステップＳ３）。そこで、顧客は、カードリーダー部２１のカード差込／抜取部２１ａにカードを挿入する（ステップＳ４）。カードリーダー部２１がカードの挿入を検知すると（ステップＳ４：Ｙｅｓ）、ロータリーソレノイド５２がＯＦＦとなり（ステップＳ５）、扉５１を図４（ａ）に示すように閉じる（ステップＳ６）。
【００３９】
顧客が保持部１３から給油ノズル１２を取り外すと、ノズルＳＷ１４がＯＮとなり（ステップＳ７：Ｙｅｓ）、顧客による給油中に給油量を計数する（ステップＳ８）。給油が終了して、顧客が保持部１３へ給油ノズル１２を載置すると、ノズルＳＷ１４がＯＦＦとなり（ステップＳ９：Ｙｅｓ）、ロータリーソレノイド５２がＯＮとなり（ステップＳ１０）、扉５１を図４（ｂ）に示すように開く（ステップＳ１１）。その後、カードがカード差込／抜取部２１ａに返却され、顧客はカードを抜き取る（ステップＳ１２）。顧客によってカードが抜き取られると（ステップＳ１２：Ｙｅｓ）、ロータリーソレノイド５２がＯＦＦとなり（ステップＳ１３）、扉５１を閉じて（ステップＳ１４）、給油動作が終了する。以後、顧客が、給油装置１のタッチパネル２０を操作するまでロータリーソレノイド５２がＯＦＦとなり、扉５１が閉じられるので、雨水等の侵入を防止することができる。
【００４０】
次に、上記扉５１及びロータリーソレノイド５２を、図１の貨幣投入部２２及び貨幣返却部２３とに設けた場合の両部の動作について、図６を中心に、図１及び図４を参照しながら説明する。尚、図４には、扉５１及びロータリーソレノイド５２をカードリーダー部２１に設けた場合を描いているが、貨幣投入部２２及び貨幣返却部２３の場合には、カード差込／抜取部２１ａに代えて紙幣挿入部、硬貨返却部等が存在し、カードリーダー部２１とは構造が異なるが、両部の詳細構造の図示及び説明は省略し、貨幣投入部２２及び貨幣返却部２３の入口の開口部を扉５１及びロータリーソレノイド５２によって開閉するものとする。
【００４１】
給油所の給油装置１で自動車に給油を行う顧客が、タッチパネル２０を操作して精算手段として現金を選択すると（ステップＳ２１）、貨幣投入部２２のロータリーソレノイド５２がＯＮとなり（ステップＳ２２）、扉５１を図４（ｂ）に示すように開く（ステップＳ２３）。そこで、顧客は、貨幣投入部２２に現金を投入する（ステップＳ２４）。貨幣投入部２２が現金の投入を検知すると（ステップＳ２４：Ｙｅｓ）、ロータリーソレノイド５２がＯＦＦとなり（ステップＳ２５）、扉５１を図４（ａ）に示すように閉じる（ステップＳ２６）。
【００４２】
顧客が保持部１３から給油ノズル１２を取り外すと、ノズルＳＷ１４がＯＮとなり（ステップＳ２７：Ｙｅｓ）、顧客による給油中に給油量を計数する（ステップＳ２８）。給油が終了して、顧客が保持部１３へ給油ノズル１２を載置すると、ノズルＳＷ１４がＯＦＦとなり（ステップＳ２９）、次に、釣りが存在するか否かを判断する（ステップＳ３０）。
【００４３】
釣りが存在する場合には（ステップＳ３０：Ｙｅｓ）、貨幣返却部２３のロータリーソレノイド５２がＯＮとなり（ステップＳ３１）、貨幣返却部２３の扉５１を図４（ｂ）に示すように開き（ステップＳ３２）、釣りを返却し（ステップＳ３３：Ｙｅｓ）、ロータリーソレノイド５２がＯＦＦとなり（ステップＳ３４）、扉５１を閉じて（ステップＳ３５）、給油動作が終了する。一方、釣りが存在しない場合には、そのまま給油動作を終了する。以後、顧客が、給油装置１のタッチパネル２０を操作するまで、貨幣投入部２２及び貨幣返却部２３のロータリーソレノイド５２がＯＦＦとなり、両部の扉５１が閉じられるので、雨水等の侵入を防止することができる。
【００４４】
次に、本発明にかかるデータ入出力装置２の第４の実施形態について、図７を参照しながら説明する。本実施の形態においても、扉及び開放防止手段をカードリーダー部２１に設けた場合について説明する。
【００４５】
カードリーダー部２１は、カード差込／抜取部２１ａと、凹部２１ｅ内に回動可能に装着された回動軸２１ｂと、アクセスランプ（不図示）と、回動軸２１ｂに固定された扉６１と、扉６１の内側に固着された鉄片６１ａと、凹部２１ｅ内に固定された電磁石６２とを備え、鉄片６１ａと電磁石６２とで開放防止手段を構成する。
【００４６】
扉６１は、図２に示した扉３１等と同様、透明のアクリル板等により矩形板状に構成され、上方縁部が保持部６３を介して回動軸２１ｂに一体化され、扉６１全体が回動軸２１ｂとともに回動する。また、上述のように、扉６１の内側には鉄片６１ａが固着され、凹部２１ｅ内に固定された電磁石６２とで扉６１を保持可能に構成される。
【００４７】
電磁石６２は、カードリーダー部２１の凹部２１ｅに固定され、電磁石６２の励磁の有無によって鉄片６１ａを吸着の有無を制御し、扉６１を閉状態に維持するか、開放可能とする。
【００４８】
上記構成により、カードリーダー部２１にカードを挿抜しない場合には、図６（ａ）に示すように、カード差込／抜取部２１ａの開口部２１ｃは、扉５１によって塞がれるとともに、電磁石６２の磁力によって鉄片６１ａを吸着し、強風等の場合でも扉５１が吹き上げられることがなく、カード差込／抜取部２１ａ内への雨水等の浸入を確実に防止し、カードリーダー部２１の故障、ひいてはデータ入出力装置２の故障を防止することができる。
【００４９】
上記電磁石６２の励磁についても、第３の実施形態におけるロータリーソレノイド５２のソレノイドへの励磁と同様、給油操作に伴って、図５及び図６に示したフローチャートに示した手順で制御することができる。
【００５０】
次に、本発明にかかるデータ入出力装置２の第５の実施形態について、図８を参照しながら説明する。本実施の形態においても、扉及び開放防止手段をカードリーダー部２１に設けた場合について説明する。
【００５１】
カードリーダー部２１は、カード差込／抜取部２１ａと、凹部２１ｅ内に回動可能に装着された回動軸２１ｂと、アクセスランプ２１ｄと、回動軸２１ｂに固定された扉７１と、扉７１の保持部７３とパネル前面２１ｆとの間に介装された弾性部材（開放防止手段）７２とを備える。
【００５２】
扉７１は、図２に示した扉３１等と同様、透明のアクリル板等により矩形板状に構成され、上方縁部が保持部７３を介して回動軸２１ｂに一体化され、扉７１全体が回動軸２１ｂとともに回動する。
【００５３】
弾性部材７２は、ＣＲ（クロロプレン）、 ＮＢＲ（アクリロニトリルブタジエンゴム ）、ＵＲ（ウレタンゴム）、ＣＳＭ（クロロスルホン化ポリエチレンゴム ）、 ＦＲ（フッ素ゴム）、 ＳＲ（シリコーンゴム）などにより板状に形成され、保持部７３とパネル前面２１ｆとに固着され、保持部７３を介して扉７１を閉方向に付勢する。
【００５４】
上記構成により、カードリーダー部２１にカードを挿抜しない場合には、図８（ｂ）に示すように、カード差込／抜取部２１ａの開口部２１ｃは、扉７１によって塞がれるとともに、弾性部材７２の付勢力によって扉７１を開口部２１ｃに付勢し、強風等の場合でも扉７１が吹き上げられることがなく、カード差込／抜取部２１ａ内への雨水等の浸入を確実に防止し、カードリーダー部２１の故障、ひいてはデータ入出力装置２の故障を防止することができる。
【００５５】
また、図示を省略するが、他の実施形態として、カードリーダー部２１の凹部２１ｅ等にプラスチック等からなる係止凹部を設け、凹部２１ｅを覆う扉３１等の内面に上記係止凹部と嵌合可能なプラスチック等からなる係止凸部を設け、両者を嵌合させることで、扉３１等の開放を防止することもできる。
【００５６】
尚、上記実施の形態においては、主に、カードリーダー部２１に扉及び開放防止手段を設けた場合を例示したが、カードリーダー部２１以外の貨幣投入部２２、貨幣返却部２３、プリンタ部２４の印刷物排出部にも設けることができ、これらの各部すべてに設けることも、一部にのみ設けることもできる。
【００５７】
また、上記扉３１〜６１は、カードリーダー部２１の回動軸２１ｂ等に回動可能に一体化されて垂下するように構成されたが、開放防止手段として第１の実施形態の錘を用いる場合を除き、必ずしも垂下する構成に限定されず、例えば、引き戸式、観音開き式とすることも可能である。
【符号の説明】
【００５８】
１  給油装置
２  データ入出力装置
１０  給油手段
１１  給油ホース
１２  給油ノズル
１３  保持部
１４  ノズルＳＷ
２０  タッチパネル
２１  カードリーダー部
２１ａ  カード差込／抜取部
２１ｂ  回動軸
２１ｃ  開口部
２１ｄ  アクセスランプ
２１ｅ  凹部
２１ｆ  パネル前面
２２  貨幣投入部
２３  貨幣返却部
２４  プリンタ部
３１  扉
３２  錘
３２ａ  下端部
３３  保持部
４１  扉
４２  コイルばね
４３  保持部
５１  扉
５２  ロータリーソレノイド
６１  扉
６１ａ  鉄片
６２  電磁石
６３  保持部
７１  扉
７２  弾性部材
７３  保持部
【図１】
2012037949.tif 000003
【図２】
2012037949.tif 000004
【図３】
2012037949.tif 000005
【図４】
2012037949.tif 000006
【図５】
2012037949.tif 000007
【図６】
2012037949.tif 000008
【図７】
2012037949.tif 000009
【図８】
2012037949.tif 000010